(57)【特許請求の範囲】
【請求項１】
収納庫をモータで昇降させる電動昇降式アッパーキャビネットであって、上記の収納庫の昇降動作時に人体の一部が挟まる危険性のある位置に、人体の一部が接触することでオン信号を出力するタッチスイッチが設けられ、このタッチスイッチからのオン信号を受けてモータの駆動停止信号を出力する制御回路部と、又モータの駆動電流を検出するモータ電流検出器と、このモータ電流検出器で検出する電流の変化率を基準値と比較し、基準値より大きいと信号を出力する判定部と、この判定部と上記の制御回路部の何れかの信号を受けるとモータに駆動停止信号を出力する制御部とを備えて形成されていることを特徴とする接触停止機能付きの電動昇降式アッパーキャビネット。
【請求項２】
請求項１記載の電動昇降式アッパーキャビネットであって、タッチスイッチが、人体の一部が触れた際の導通及び放電面積が増えたことでの放電量増加による電流変化を検出する静電変化検出器と、この静電変化検出器の検出値を設定値と比較してタッチ判断を行なう判断回路を備えて形成されていることを特徴とする接触停止機能付きの電動昇降式アッパーキャビネット。
【請求項３】
請求項２記載の電動昇降式アッパーキャビネットであって、静電変化検出器が、収納庫が下降したとき外筐体から露出するリンク部材の露出箇所に貼り付けられていることを特徴とする接触停止機能付きの電動昇降式アッパーキャビネット。
【請求項４】
請求項１乃至３の何れかに記載の電動昇降式アッパーキャビネットであって、判定部が、モータに過電流が流れると回路を遮断し、モータの駆動を停止させる機能を備えて構成されていることを特徴とする接触停止機能付きの電動昇降式アッパーキャビネット。
【発明の詳細な説明】
【０００１】
【発明の属する技術分野】
本発明は、台所の壁面等に取り付けて使用する電動昇降式アッパーキャビネットに関し、更に詳しくは収納庫の昇降動作時の安全性を向上させることができるよう形成した接触停止機能付きの電動昇降式アッパーキャビネットに関するものである。
【０００２】
【従来の技術】
従来この種のキャビネットとしては、モータで巻取り巻戻されるベルトの弛みをリミットスイッチで検知し、このリミットスイッチからの信号でモータの駆動を停止させたり、或いは収納庫の両側に設けられているリンク部材の回動動作をセンサで検出し、リンク部材が停止するとモータに駆動停止信号を送るよう構成したものがある。
【０００３】
【発明が解決しようとする課題】
ところでこの種のキャビネットは、収納庫がモータで自動昇降するため、ユーザーが例えば収納庫と外筐体との間に過って手指を差し入れたとき、負傷することがないよう、収納庫を安全に昇降させることができるよう形成されているのが望ましい。
【０００４】
しかるに従来品は、上記の通り、ベルトの弛みやリンク部材の回動状態を検知し、異常がある場合はモータの駆動を停止させる仕組みであったから、従来品によると、手指等が挟まって始めてモータの駆動が止まり、収納庫が停止するものであった。従って従来品の場合は、手指等に収納庫の荷重がかかるのを避けられなかったから、手指等を負傷させる惧れがあり、収納庫の昇降動作時の安全性に問題があった。
【０００５】
又この種のキャビネットの場合、収納庫にモータの動きを伝えるベルトは、収納庫が上昇する際は、収納庫の荷重によって緊張しているのが通例である。従ってベルトの弛みを検知して収納庫を停止させる構造の従来品は、収納庫の下降時は機能するものの、上昇時はベルトの弛みを検知できず、その結果上昇時に手指等を過って挟む事故を防止できないものであった。
【０００６】
本発明は、このような従来品の問題点に鑑み、提案されたものである。
【０００７】
従って本発明の技術的課題は、収納庫が昇降動作する際、手指等を挟んで負傷することがないよう、収納庫を安全に昇降動作させることができるよう形成した接触停止機能付きの電動昇降式アッパーキャビネットを提供することにある。
【０００８】
【課題を解決するための手段】
本発明は、上記の課題を解決するために、次のような技術的手段を採る。
【０００９】
即ち本発明は、図１に示されるように、収納庫１をモータ４で昇降させる電動昇降式アッパーキャビネットであって、上記の収納庫１の昇降動作時に人体の一部が挟まる危険性のある位置に、人体の一部が接触することでオン信号を出力するタッチスイッチ５が設けられ、このタッチスイッチ５からのオン信号を受けてモータ４の駆動停止信号を出力する制御回路部６と、又モータ４の駆動電流を検出するモータ電流検出器７と、このモータ電流検出器７で検出する電流の変化率を基準値と比較し、基準値より大きいと信号を出力する判定部８と、この判定部８と上記の制御回路部６の何れかの信号を受けるとモータ４に駆動停止信号を出力する制御部９とを備えて形成されていることを特徴とする（請求項１）。
【００１０】
ここで、電動式の本発明キャビネットとしては、収納庫１がモータ４で前後方向に回動したり、垂直方向に昇降する形式のものがある。又収納庫１の昇降動作時に人体の一部が挟まる危険性のある位置としては、例えば収納庫１と外筐体３との境付近の、収納庫１又は外筐体３の外面位置や、収納庫１を支持するリンク部材２の外部露出位置等がある。
【００１１】
而して本発明は、タッチスイッチ５が、人体の一部が触れた際の導通及び放電面積が増えたことでの放電量増加による電流変化を検出する静電変化検出器５ａと、この静電変化検出器５ａの検出値を設定値と比較してタッチ判断を行なう判断回路５ｂを備えて形成されているのが好ましい（請求項２）。
【００１２】
またこの場合、本発明は、静電変化検出器５ａが、収納庫１が下降したとき外筐体３から露出するリンク部材２の露出箇所に貼り付けられているのが好ましい（請求項３）。
【００１３】
また本発明は、判定部８が、モータ４に過電流が流れると回路を遮断し、モータ４の駆動を停止させる機能を備えて構成されているのが好ましい（請求項４）。
【００１４】
【発明の実施の形態】
以下、本発明の好適な一実施形態を添付図面に従って説明する。
【００１５】
１は収納庫であり、２はこの収納庫１を支持するため、その両側に設けられているリンク部材である。収納庫１は、このリンク部材２によって外筐体３の側板３ａに支持され、前後方向に回動自在に形成されている。又４は、収納庫１を昇降させるためのモータである。このモータ４は、正逆回転自在に構成され、この実施形態では外筐体３の底板３ｂの奥側に設けられている。
【００１６】
５は、人体の一部が接触することでオン信号を出力するタッチスイッチである。このタッチスイッチ５は、人体の一部が触れた際の導通及び放電面積が増えたことでの放電量増加による電流変化を検出する静電変化検出器５ａと、この静電変化検出器５ａの検出値を設定値と比較してタッチ判断を行なう判断回路５ｂ等を備えて形成されている。
【００１７】
上記の静電変化検出器５ａは、タッチ検出用の対向電極が印刷や薄膜成形によって形成されると共に、可撓性を有して面状に形成されている。又この静電変化検出器５ａは、この実施形態では収納庫１の下面１ａの全体と、収納庫１が下降したとき外筐体３から露出するリンク部材２の露出箇所に貼り付けられている。
【００１８】
６は、タッチスイッチ５のオン信号を受けてモータ４の駆動停止信号を出力する制御回路部である。この制御回路部６の出力信号は、後述する制御部９に送られる。そして本発明は、制御部９によって負荷としてのモータ４への電力の供給が停止されるものである。
【００１９】
７は、上記のモータ４の駆動電流を検出するモータ電流検出器である。このモータ電流検出器７は、例えば電流値に応じた磁束を検知して電線に流れる電流の大きさに応じた電圧の検出信号を出力するよう、磁気感応素子等を備えて構成されている。
【００２０】
そしてモータ電流検出器７で検出された電流値は、判定部８に送られる。この判定部８は、所定時間における電流の変化率を、基準値設定器８ａとしてのメモリに予め設定されている基準値と比較し、基準値より大きいと信号を制御部９に送るものである。なお判定部８は、この実施形態の場合、モータ４に過電流が流れると回路を遮断し、モータ４の駆動を停止させる機能を備えて構成されている。
【００２１】
又上記の制御部９は、判定部８とタッチスイッチ５の何れかの信号を受けると、モータ４に駆動停止信号を出力するよう、オア回路等を備えて構成されている。１０は、電源スイッチや、収納庫１の上昇スイッチ、下降スイッチ等を備える操作部である。又１１は、収納庫１の最下降位置を検出するリミットスイッチであり、１２は最上昇位置を検出するリミットスイッチである。これらの外部機器は、制御部９と電気的に接続され、制御部９は各外部機器からの信号を受けると、モータ４に制御信号を出力するよう構成されている。なお制御部９は、この実施形態では収納庫１やモータ４の運転時間、動作時間を所定値と比較判断する機能も備えて構成されている。
【００２２】
次にこの本発明の作用を、図３等に従って説明する。
【００２３】
電源スイッチを入れ、例えば下降スイッチが押されると、収納庫１がモータ４により下降する。この際、人体の一部としての手指が、静電変化検出器５ａに触れると、検出電流値が判断回路５ｂによって設定値と比較され、検出電流値が設定値より大きいと信号が制御回路部６に送られる。制御回路部６は、この信号を受けると、モータ４の駆動停止信号を制御部９に出力する。又検出電流値が設定値より小さい場合は、手指等の挟み事故がないものと判断され、収納庫１は下降動作を継続する。なおこの実施形態の本発明のキャビネットは、収納庫１の昇降動作中に他方のスイッチ、例えば収納庫１が下降時に上昇スイッチが押されると、制御部９からモータ４に駆動停止信号が出力され、収納庫１が停止する。
【００２４】
而して収納庫１が昇降動作中、手指以外の障害物が挟まるとこの障害物が収納庫１の下降を妨げるため、モータ４の駆動電流に変化が出る。この電流変化は、モータ電流検出器７で検出され、判定部８において基準値と比較される。そして基準値より大きいと、障害物がある、と判定し、判定部８から制御部９にモータ４の駆動停止信号が出力される。制御部９は、この判定部８又は上記の制御回路部６の何れかの信号が入ると、モータ４に駆動停止信号を出力する。これによりモータ４が駆動を停止し、収納庫１の昇降動作が停止する。
【００２５】
【発明の効果】
以上説明したように本発明は、電動昇降式アッパーキャビネットにおいて、タッチスイッチを収納庫等の所定位置に設け、又モータの駆動電流を検出するモータ電流検出器と、この検出器で検出した電流の変化率と基準値とを比較し、基準値より大きいと信号を出力する判定部と、この判定部と上記のタッチスイッチの何れかの信号を受けるとモータに駆動停止信号を出力する制御部とを備えてなる。
【００２６】
従って本発明の場合は、収納庫の昇降動作時に手指等の負傷を防止できるだけではなく、人体の接触による接触電流と、モータ電流の検出の両方でモータを制御できるから、これによれば人体以外の障害物が隙間に挟まっても、モータの駆動を停止でき、収納庫の昇降動作時の安全性を一層向上させることができる。
【図面の簡単な説明】
【図１】  本発明キャビネットの好適な一実施形態を示す要部構成図である。
【図２】  同上キャビネットのブロック図である。
【図３】  同上キャビネットの作用を説明するための流れ図である。
【符号の説明】
１    収納庫
２    リンク部材
３    外筐体
４    モータ
５    タッチスイッチ
６    制御回路部
７    モータ電流検出器
８    判定部
９    制御部
【図１】
0004992174.tif 000002
【図２】
0004992174.tif 000003
【図３】
0004992174.tif 000004